(57)【特許請求の範囲】
【請求項１】
画像形成装置が有する印刷装置に故障が発生して他の画像形成装置に印刷データを転送する場合、前記故障が発生した後に、テストパターンを前記他の画像形成装置に送信する送信手段と、
前記他の画像形成装置による前記テストパターンの出力を光学的に読み取った結果を取得する取得手段と、
前記他の画像形成装置において前記印刷データが前記画像形成装置と同じ品質で出力されるように前記読み取った結果に基づいて前記印刷データを補正する補正手段と、
を有する画像形成装置。
【請求項２】
前記品質は、画像の濃度値及び線幅のうちの少なくとも一方を含み、
前記補正手段は、前記印刷データの濃度値及び線幅のうちの少なくとも１つを補正する、
ことを特徴とする請求項１に記載の画像形成装置。
【請求項３】
補正された前記印刷データに、前記他の画像形成装置では前記画像形成装置と同じ品質で出力されないデータが含まれていない場合に、補正された前記印刷データを前記他の画像形成装置に転送する転送手段を更に有する、
ことを特徴とする請求項１又は請求項２に記載の画像形成装置。
【請求項４】
複数部数の出力が指示されている場合、前記印刷データは、前記画像形成装置で出力中の部の先頭ページ以降のページのデータである、
ことを特徴とする請求項１又は請求項２に記載の画像形成装置。
【請求項５】
前記画像形成装置にて出力中のデータに、前記他の画像形成装置では前記画像形成装置と同じ品質で出力されないデータが含まれており、前記画像形成装置にて出力中のデータの次に出力予定のデータに、前記他の画像形成装置では前記画像形成装置と同じ品質で出力されないデータが含まれていない場合、前記印刷データは、前記次に出力予定のデータである、
ことを特徴とする請求項１又は請求項２に記載の画像形成装置。
【請求項６】
画像形成装置のコンピュータを、
前記画像形成装置が有する印刷装置に故障が発生して他の画像形成装置に印刷データを転送する場合、前記故障が発生した後に、テストパターンを前記他の画像形成装置に送信する送信手段と、
前記他の画像形成装置による前記テストパターンの出力を光学的に読み取った結果を取得する取得手段と、
前記他の画像形成装置において前記印刷データが前記画像形成装置と同じ品質で出力されるように前記読み取った結果に基づいて前記印刷データを補正する補正手段と、
として機能させるプログラム。
【発明の詳細な説明】
【技術分野】
【０００１】
本発明は、画像形成装置及びプログラムに関する。
【背景技術】
【０００２】
特許文献１に記載された画像処理システムでは、濃度変動確認用のテストパターンが複写機（親機）から複数のプリンタ（子機）に送出され、子機にて印刷される。親機は、各子機の印刷結果を読み込むことにより、各子機の濃度特性を把握し、いずれの子機から出力しても同じ濃度特性となるように濃度を調整する。
【先行技術文献】
【特許文献】
【０００３】
【特許文献１】特開２００３−２４４４３８号公報
【発明の概要】
【発明が解決しようとする課題】
【０００４】
ところで、印刷中にプリンタが故障した場合、他のプリンタによって印刷を継続することが考えられる。しかし、プリンタの物理的な機構や特性の違いにより、一般的に、印刷の品質はプリンタ毎に異なっている。従って、同じ印刷データであっても、プリンタが異なれば、同じ品質で印刷されるとは限らない。
【０００５】
本発明の目的は、印刷データを他の画像形成装置によって出力する場合において、画像形成装置による出力の品質が維持されるようにすることである。
【課題を解決するための手段】
【０００６】
請求項１に係る発明は、画像形成装置が有する印刷装置に故障が発生して他の画像形成装置に印刷データを転送する場合、前記故障が発生した後に、テストパターンを前記他の画像形成装置に送信する送信手段と、前記他の画像形成装置による前記テストパターンの出力を光学的に読み取った結果を取得する取得手段と、前記他の画像形成装置において前記印刷データが前記画像形成装置と同じ品質で出力されるように前記読み取った結果に基づいて前記印刷データを補正する補正手段と、を有する画像形成装置である。
【０００７】
請求項２に係る発明は、前記品質は、画像の濃度値及び線幅のうちの少なくとも一方を含み、前記補正手段は、前記印刷データの濃度値及び線幅のうちの少なくとも１つを補正する、ことを特徴とする請求項１に記載の画像形成装置である。
【０００８】
請求項３に係る発明は、補正された前記印刷データに、前記他の画像形成装置では前記画像形成装置と同じ品質で出力されないデータが含まれていない場合に、補正された前記印刷データを前記他の画像形成装置に転送する転送手段を更に有する、ことを特徴とする請求項１又は請求項２に記載の画像形成装置である。
【０００９】
請求項４に係る発明は、複数部数の出力が指示されている場合、前記印刷データは、前記画像形成装置で出力中の部の先頭ページ以降のページのデータである、ことを特徴とする請求項１又は請求項２に記載の画像形成装置である。
【００１０】
請求項５に係る発明は、前記画像形成装置にて出力中のデータに、前記他の画像形成装置では前記画像形成装置と同じ品質で出力されないデータが含まれており、前記画像形成装置にて出力中のデータの次に出力予定のデータに、前記他の画像形成装置では前記画像形成装置と同じ品質で出力されないデータが含まれていない場合、前記印刷データは、前記次に出力予定のデータである、ことを特徴とする請求項１又は請求項２に記載の画像形成装置である。
【００１１】
請求項６に係る発明は、画像形成装置のコンピュータを、前記画像形成装置が有する印刷装置に故障が発生して他の画像形成装置に印刷データを転送する場合、前記故障が発生した後に、テストパターンを前記他の画像形成装置に送信する送信手段と、前記他の画像形成装置による前記テストパターンの出力を光学的に読み取った結果を取得する取得手段と、前記他の画像形成装置において前記印刷データが前記画像形成装置と同じ品質で出力されるように前記読み取った結果に基づいて前記印刷データを補正する補正手段と、として機能させるプログラムである。
【発明の効果】
【００１２】
請求項１，６に係る発明によると、印刷データを他の画像形成装置によって出力する場合において、画像形成装置による出力の品質が維持される。
【００１３】
請求項２に係る発明によると、画像の濃度値及び線幅の少なくとも一方が維持される。
【００１４】
請求項３に係る発明によると、印刷データの全部について出力の品質が維持される。
【００１５】
請求項４に係る発明によると、同一部内での品質の変化が防止される。
【００１６】
請求項５に係る発明によると、次に出力予定のデータの出力の品質が維持される。
【図面の簡単な説明】
【００１７】
【図１】本発明の実施形態に係る画像形成システムを示すブロック図である。
【図２】本発明の実施形態に係る画像形成装置を示すブロック図である。
【図３】濃度特性を示す表である。
【図４】印刷対応領域特性を示す表である。
【図５】線幅特性を示す表である。
【図６】選択肢の画面の一例を示す図である。
【図７】自装置で印刷する場合の処理の一例を示すフローチャートである。
【図８】代替装置で印刷する場合の処理の一例を示すフローチャートである。
【図９】代替装置で印刷する場合の処理の一例を示すフローチャートである。
【発明を実施するための形態】
【００１８】
図１には、本発明の実施形態に係る画像形成システムの一例が示されている。画像形成システムは、複数の画像形成装置（一例として、画像形成装置１０Ａ，１０Ｂ，１０Ｃ）を含む。なお、画像形成装置１０Ａ，１０Ｂ，１０Ｃを区別する必要がない場合には、これらを「画像形成装置１０」と称することとする。複数の画像形成装置１０は、ネットワーク等の通信経路Ｎに接続されている。図１に示す例では、３台の画像形成装置１０が画像形成システムに含まれている。これは一例に過ぎず、３台以外の複数の画像形成装置１０が画像形成システムに含まれていてもよい。
【００１９】
また、端末装置５０が通信経路Ｎに接続されている。複数の端末装置５０が通信経路Ｎに接続されていてもよい。端末装置５０は、例えば、パーソナルコンピュータ、ワークステーション、スマートフォン又は携帯電話等の装置である。
【００２０】
画像形成装置１０及び端末装置５０は、他の装置にデータを送信する機能と、他の装置からデータを受信する機能とを備えている。例えば、端末装置５０は、印刷データを画像形成装置１０に送信する機能を備えている。画像形成装置１０は、端末装置５０から送信された印刷データを印刷する機能と、印刷データを他の画像形成装置１０に転送する機能とを備えている。
【００２１】
画像形成装置１０は、例えば電子写真方式やインクジェット方式のプリンタである。もちろん、画像形成装置１０は、それら以外の方式のプリンタであってもよい。また、画像形成装置１０はスキャン機能を備えている。画像形成装置１０は、コピー機能及びファクシミリ機能のうちの少なくとも１つの機能を更に備えていてもよい。画像形成装置１０は、例えば、トナーやインク等の色材（記録材）を用いて、記録紙等の記録媒体上に画像を形成する。例えば、画像形成装置１０は、シアン（Ｃ）、マゼンタ（Ｍ）、イエロー（Ｙ）及びブラック（Ｋ）の４色のトナーを使用して印刷する。もちろん、特色のトナーが使用されてもよい。
【００２２】
本実施形態では、一例として、画像形成装置１０Ａが、インクジェット方式のプリンタであり、画像形成装置１０Ｂ，１０Ｃが、電子写真方式のプリンタであるものとする。もちろん、これは一例に過ぎず、画像形成装置１０Ａ，１０Ｂ，１０Ｃの全部が、インクジェット方式又は電子写真方式のプリンタであってもよい。または、画像形成装置１０Ａが電子写真方式のプリンタであってもよいし、画像形成装置１０Ｂ，１０Ｃがインクジェット方式のプリンタであってもよい。
【００２３】
印刷データは、印刷対象の画像データと関連情報とを含む。印刷対象の画像データの各画素は、例えば、複数の色成分（例えば、Ｃ，Ｍ，Ｙ，Ｋ）の値（濃度値）の組み合わせによって表されている。関連情報は、一例として、画像データを識別するための画像識別情報（例えば画像データＩＤ）、画像が印刷される位置を示す印刷位置情報、画像の倍率を示す倍率情報、画像データの作成日時を示す情報、印刷を指示したユーザを識別するためのユーザ識別情報（例えばユーザＩＤ）、等を含む。その他、用紙のサイズを示す用紙情報、画像のレイアウトを示すレイアウト情報、画像データの容量を示す情報、及び、データ形式を示す情報等が、関連情報に含まれる。
【００２４】
図２には、画像形成装置１０の一例が示されている。
【００２５】
通信部１２は、通信経路Ｎに接続される通信インターフェースである。通信部１２は、他の装置からデータを受信する機能と、他の装置にデータを送信する機能とを備えている。本実施形態では、通信部１２は、印刷データを端末装置５０から受信する。また、通信部１２は、印刷データを他の画像形成装置１０に送信する。
【００２６】
画像形成部１４は、画像データに応じた画像を記録紙上に形成する。これにより、画像データが記録紙に印刷される。画像形成部１４は、例えば、画像データをページ毎に印刷する。
【００２７】
画像読取部１６は、スキャナやデジタルカメラ等の画像読取装置である。画像読取部１６は、記録紙上の画像を読み取ることにより電子的な画像データを生成する。
【００２８】
ユーザインターフェース部（ＵＩ部）１８は、操作部と表示部とを含む。操作部は、操作パネル等の入力デバイスである。表示部は、液晶ディスプレイ等の表示デバイスである。
【００２９】
記憶部２０は、ハードディスク等の記憶装置である。記憶部２０には、印刷データが記憶される。また、記憶部２０には、デバイスリスト２２、テストパターンデータ２４、及び、印刷特性情報２６が記憶されている。
【００３０】
デバイスリスト２２は、画像形成システムに含まれるすべての画像形成装置１０を示す情報である。デバイスリスト２２は、各画像形成装置１０を識別するためのデバイス識別情報（例えばデバイスＩＤ）、及び、各画像形成装置１０のアドレス情報（例えばＩＰアドレス）を含む。デバイスリスト２２は予め作成されて記憶部２０に記憶される。
【００３１】
テストパターンデータ２４は、例えば、濃度特性確認用パターン、印刷対応領域特性確認用パターン、及び、線幅特性確認用パターンを表すデータである。濃度特性確認用パターン、印刷対応領域特性確認用パターン、及び、線幅特性確認用パターンは、１つのテストパターンによって構成されていてもよいし、それぞれ別々のテストパターンであってもよい。これらのテストパターンは一例である。濃度特性確認用パターン、印刷対応領域特性確認用パターン、及び、線幅特性確認用パターンの中の少なくとも１つのパターンが、テストパターンとして用いられてもよいし、別の印刷特性確認用パターンがテストパターンとして用いられてもよい。
【００３２】
濃度特性確認用パターンは、画像形成装置１０の印刷濃度特性を確認するためのパターンである。濃度特性確認用パターンは、例えば、濃度値が異なる複数のパッチによって構成されているパターンや、明データから暗データまでが均等の濃度ステップで表されたグラデーションパターン等である。例えば、Ｃ，Ｍ，Ｙ，Ｋの濃度特性が確認されるように、Ｃ，Ｍ，Ｙ，Ｋのそれぞれの濃度特性確認用パターンが作成されている。つまり、Ｃ，Ｍ，Ｙ，Ｋのそれぞれについて、値（濃度値）が異なる複数のパッチによって構成されているパターンやグラデーションパターン等が作成されている。テストパターンの濃度値（以下、「論理濃度値」と称する）は、予め決定又は測定されている値である。濃度特性確認用パターンを用いることにより、論理濃度値に対する実際の印刷による濃度値が測定される。
【００３３】
印刷対応領域特性確認用パターンは、画像形成装置１０の印刷対応領域特性を確認するためのパターンである。印刷対応領域特性確認用パターンは、記録紙の一端から他端にかけて印刷されるよう指定されているパターンである。印刷対応領域特性確認用パターンを用いることにより、記録紙において、画像形成装置１０による印刷が対応している領域が測定される。
【００３４】
線幅特性確認用パターンは、画像形成装置１０の線幅特性を確認するためのパターンである。線幅特性確認用パターンは、線幅の異なる複数の線によって構成されているパターンである。テストパターンの線幅（以下、「線幅論理値」と称する）は、予め決定又は測定されている値である。線幅特性確認用パターンを用いることにより、線幅論理値に対する実際の印刷による線幅が測定される。
【００３５】
本実施形態では、画像形成部１４によってテストパターンが記録紙に印刷される。以下、テストパターンが形成されている記録紙を、「テストパターン記録紙」と称することとする。濃度特性確認用パターン、印刷対応領域特性確認用パターン、及び、線幅特性確認用パターンは、１つのテストパターンによって構成されて１つの記録紙に形成されてもよいし、それぞれ別々の記録紙に形成されてもよい。そして、テストパターン記録紙上の画像が、画像読取部１６によって読み取られる。これにより、テストパターンを表す画像データ（以下、「テストパターン読取データ」と称することとする）が生成される。テストパターン読取データは、画像形成装置１０の印刷特性を測定するために用いられる。
【００３６】
印刷特性情報２６は、自身の画像形成装置１０（自装置）及び他の画像形成装置１０の印刷特性を示す情報である。印刷特性は、例えば、濃度特性、印刷対応領域特性、及び、線幅特性である。濃度特性、印刷対応領域特性、及び、線幅特性は、テストパターン読取データに基づいて測定部３０によって測定される。
【００３７】
制御部２８は、画像形成装置１０の各部の動作を制御する。例えば、制御部２８は、端末装置５０から送信された印刷データを記憶部２０に記憶させる。また、制御部２８は、自装置の故障を検知する。例えば、制御部２８は、画像形成部１４の故障（例えば、色材の詰まりや紙詰まり等）を検知する。
【００３８】
また、制御部２８は、測定部３０と補正部３２とを含む。
【００３９】
測定部３０は、テストパターン読取データに基づいて印刷特性を測定する。一例として、測定部３０は、濃度特性、印刷対応領域特性、及び、線幅特性を測定する。濃度特性、印刷対応領域特性、及び、線幅特性を示す情報は、印刷特性情報２６として記憶部２０に記憶される。
【００４０】
例えば、測定部３０は、テストパターン読取データに表されている濃度特性確認用パターンに基づいて、各論理濃度値に対する実際の濃度値を測定する。測定部３０は、Ｃ，Ｍ，Ｙ，Ｋのそれぞれのテストパターン読取データに基づいて、Ｃ，Ｍ，Ｙ，Ｋのそれぞれの実際の濃度値を測定する。
【００４１】
また、測定部３０は、テストパターン読取データに表されている印刷対応領域特性確認用パターンに基づいて、画像形成装置１０による印刷が対応している領域を測定する。例えば、測定部３０は、印刷対応領域特性確認用パターンが記録紙の一端から他端にかけて実際に印刷されているのか否かを、１画素単位で確認する。これにより、実際に印刷される領域（画像形成装置１０による印刷が対応している領域）が、１画素単位で測定される。
【００４２】
また、測定部３０は、テストパターン読取データに表されている線幅特性確認用パターンに基づいて、各線幅論理値に対する実際の線幅を測定する。
【００４３】
補正部３２は、印刷特性情報２６に基づいて、指定されている条件で印刷対象の画像データが印刷されるように、印刷対象の画像データを補正する。例えば、補正部３２は、画像データの濃度値及び線幅のうちの少なくとも一方を補正する。具体的には、補正部３２は、論理濃度値と実際に測定された濃度値とに基づいて、実際に印刷される画像の濃度値が、画像データにおいて指定されている濃度値と等しくなるように、画像データの濃度値を補正する。補正部３２は、画像データのＣ，Ｍ，Ｙ，Ｋのそれぞれの濃度値を補正する。また、補正部３２は、論理線幅と実際に測定された線幅とに基づいて、実際に印刷される画像の線幅が、画像データにおいて指定されている線幅と等しくなるように、画像データの線幅を補正する。画像形成部１４は補正後の画像データを印刷する。
【００４４】
本実施形態では、画像形成装置１０（自装置）の画像形成部１４によってテストパターン（濃度特性確認用パターン、印刷対応領域特性確認用パターン、及び、線幅特性確認用パターン）が予め印刷され、自装置の画像読取部１６によってテストパターン記録紙上の画像が読み取られる。これにより、自装置に関するテストパターン読取データが生成される。自装置の測定部３０は、自装置に関するテストパターン読取データに基づいて、各論理濃度値に対する実際の濃度値、自装置による印刷が対応している領域、及び、各線幅論理値に対する実際の線幅を測定する。測定結果を示す情報は、自装置の印刷特性を示す情報（印刷特性情報２６）として記憶部２０に記憶される。
【００４５】
また、本実施形態では、印刷中に画像形成装置１０（自装置）に故障等が発生して印刷が継続されない場合、他の画像形成装置１０（代替装置）を利用して印刷が継続される。そのために、自装置での印刷が継続されない場合、自装置の制御部２８は、デバイスリスト２２に示されている画像形成装置１０のデバイス識別情報の一覧を、ＵＩ部１８の表示部に表示させる。ユーザは、ＵＩ部１８の操作部を利用して、その一覧の中から代替装置として利用される画像形成装置１０を選択する。代替装置が選択されると、自装置の制御部２８は、テストパターンデータ２４を代替装置に転送し、テストパターンの印刷を代替装置に指示する。代替装置の画像形成部１４によって、そのテストパターンが記録紙に印刷される。これにより、代替装置によってテストパターン記録紙が作成される。このテストパターン記録紙上の画像が、自装置の画像読取部１６によって読み取られる。これにより、代替装置に関するテストパターン読取データが生成される。自装置の測定部３０は、そのテストパターン読取データに基づいて、各論理濃度値に対する実際の濃度値、代替装置による印刷が対応している領域、及び、各線幅論理値に対する実際の線幅を測定する。測定結果を示す情報は、代替装置の印刷特性を示す情報（印刷特性情報２６）として記憶部２０に記憶される。
【００４６】
なお、画像読取の特性は画像読取部１６によって異なるのが一般的である。本実施形態では、自装置及び代替装置の印刷特性を同一基準に従って評価するために、同一の画像読取部１６（例えば自装置の画像読取部１６）によってテストパターン記録紙上の画像が読み取られる。もちろん、自装置以外の画像読取部１６によってテストパターン記録紙上の画像が読み取られてもよい。
【００４７】
制御部２８は、画像データにおいて指定されている条件に従った印刷が、代替装置によって実現されるか否かを判定する。例えば、未印刷の画像データの全部について、補正なしで、又は、補正することにより、指定されている条件に従った印刷が代替装置によって実現される場合、自装置の制御部２８は、印刷データを代替装置に転送する。このとき、制御部２８は、未印刷のページの画像データを印刷データに含ませる。画像データを補正する場合、補正部３２は、指定されている条件で画像データが代替装置によって印刷されるように、画像データの濃度値や線幅を補正する。補正せずに指定されている条件に従った印刷が実現される場合、補正部３２による補正は行われない。補正後の画像データ又は未補正の画像データが代替装置に転送されると、代替装置によって画像データが印刷される。
【００４８】
また、未印刷の画像データの全部又は一部について、指定されている条件に従った印刷が代替装置によって実現されない場合、つまり、画像データ（濃度値や線幅）を補正しても、指定された条件通りの印刷が代替装置によって実現されない場合、自装置の制御部２８は、代替処理の選択肢を示す情報をＵＩ部１８の表示部に表示させる。代替処理としては、例えば、（１）次に印刷予定の画像データの処理、（２）印刷中の部の先頭ページ以降のページの印刷、（３）未印刷のページの印刷、（４）印刷中止、等がある。自装置の制御部２８は、ユーザによって選択された代替処理を実行する。
【００４９】
画像形成装置１０は、一例としてハードウェア資源とソフトウェアとの協働により実現される。具体的には、画像形成装置１０は、図示しないＣＰＵ等のプロセッサを備えている。当該プロセッサが、図示しない記憶装置に記憶されたプログラムを読み出して実行することにより、画像形成装置１０の各部の機能が実現される。上記プログラムは、ＣＤやＤＶＤ等の記録媒体を経由して、又は、ネットワーク等の通信経路を経由して、記憶装置に記憶される。または、画像形成装置１０の各部は、例えばプロセッサや電子回路等のハードウェア資源により実現されてもよい。その実現においてメモリ等のデバイスが利用されてもよい。別の例として、画像形成装置１０の各部は、ＤＳＰ（Digital Signal Processor）やＦＰＧＡ（Field Programmable Gate Array）等によって実現されてもよい。
【００５０】
次に、図３から図５を参照して、濃度特性、印刷対応領域特性、及び、線幅特性の具体例について説明する。
【００５１】
図３には、濃度特性の一例が示されている。図３には、濃度特性の一例として、Ｃ，Ｍ，Ｙ，Ｋの中のＹ（イエロー）についての濃度値（％）が示されている。論理濃度値、自装置濃度値及び代替装置濃度値が対応付けられており、これらは、印刷特性情報２６の一例として自装置の記憶部２０に記憶される。
【００５２】
「論理濃度値」は、テストパターン（濃度特性確認用パターン）における各濃度値である。
【００５３】
「自装置濃度値」は、自装置によって印刷されたテストパターンの実際の濃度値である。つまり、自装置濃度値は、論理濃度値を有する画像が自装置にて印刷された場合の実際の濃度値である。
【００５４】
「代替装置濃度値」は、他の画像形成装置１０（代替装置）によって印刷されたテストパターンの実際の濃度値である。つまり、代替装置濃度値は、論理濃度値を有する画像が代替装置にて印刷された場合の実際の濃度値である。
【００５５】
図３に示されている具体例について説明する。例えば、イエローの論理濃度値が２５％の画像を自装置によって印刷すると、実際に印刷された画像の濃度値（自装置濃度値）は、２３％になる。また、論理濃度値が２７％の画像を自装置によって印刷すると、自装置濃度値は２５％になる。従って、実際の濃度値が２５％となるように自装置によって画像を印刷したい場合、画像データのイエローの濃度値を２７％に変更すればよいことになる。例えば、画像データのイエローの濃度値として２５％が指定されている場合、その濃度値を２７％に補正して自装置によって印刷することにより、実際の濃度値が２５％となる画像が印刷されることになる。この補正は、自装置の補正部３２によって行われる。
【００５６】
また、イエローの論理濃度値が３０％の画像を代替装置によって印刷すると、代替装置濃度値は２５％になる。従って、実際の濃度値が２５％となるように代替装置によって画像を印刷したい場合、画像データのイエローの濃度値を３０％に変更すればよいことになる。例えば、画像データのイエローの濃度値として２５％が指定されている場合、その濃度値を３０％に補正して代替装置によって印刷することにより、実際の濃度値が２５％となる画像が印刷されることになる。この補正は、自装置の補正部３２によって行われる。また、図３に示す例では、代替装置は、実際の濃度値が２５％未満となる画像を印刷する機能を備えていない。つまり、代替装置は、イエローの濃度値として２５％未満が指定されている画像を印刷する機能を備えていない。この場合、自装置の制御部２８は、代替処理の選択肢を示す情報をＵＩ部１８の表示部に表示させる。
【００５７】
Ｃ，Ｍ，Ｋについても、図３に示す濃度特性と同様に、自装置濃度値及び代替装置濃度値が測定され、論理濃度値、自装置濃度値及び代替装置濃度値が対応付けられている。これらは、印刷特性情報２６の一例として自装置の記憶部２０に記憶される。
【００５８】
図４には、印刷対応領域特性の一例が示されている。印刷対応領域特性は、画像形成部１４の物理的な機構に依存することがある。例えば、記録紙の縦方向と横方向とで、印刷対応領域が異なる場合がある。図４には、印刷対応領域特性の一例として、記録紙の縦方向における印刷対応領域が示されている。端からのドット数（画素数）、自装置の対応状況を示す情報、及び、代替装置の対応状況を示す情報が対応付けられている。これらは、印刷特性情報２６の一例として自装置の記憶部２０に記憶される。
【００５９】
端からのドット数（画素数）は、記録紙においてテストパターンが形成されている位置に対応する。テストパターン（印刷対応領域確認用パターン）は、記録紙の一端から他端にかけて形成されている。ドット数が「０」の位置が記録紙の一端に対応し、ドット数が「最大値」の位置が記録紙の他端に対応する。
【００６０】
「自装置の対応状況」は、記録紙において自装置による印刷が対応している領域を示している。「代替装置の対応領域」は、記録紙において代替装置による印刷が対応している領域を示している。
【００６１】
表中の「０」は不対応を表し、「１」は対応を表している。図４に示す例では、自装置は全領域に対応している。すなわち、自装置は、記録紙の一端（０）から他端（最大値）までの全領域に対して画像を印刷する機能を備えている。一方、代替装置は、ドット数が「０」から「１００」までの領域、及び、「最大値−１００」から「最大値」までの領域に対応していない。すなわち、代替装置は、それらの領域に対して画像を印刷する機能を備えていない。従って、代替装置は、それらの領域に対する印刷が指示されている画像データを、印刷指示通りに印刷する機能を備えていない。この場合、自装置の制御部２８は、代替処理の選択肢を示す情報をＵＩ部１８の表示に表示させる。
【００６２】
なお、記録紙の横方向についても、図４に示す印刷対応領域特性と同様に、自装置及び代替装置における対応領域が確認され、端からのドット数（画素数）、自装置の対応状況を示す情報、及び、代替装置の対応状況を示す情報が対応付けられている。これらは、印刷特性情報２６の一例として自装置の記憶部２０に記憶される。
【００６３】
また、記録紙のサイズや搬送経路中の記録紙の向きによって、印刷対応領域が変わる場合がある。従って、記録紙のサイズや向きに応じた対応状況を確認し、その確認結果を示す情報を、印刷特性情報２６の一例として自装置の記憶部２０に記憶させてもよい。
【００６４】
図５には、線幅特性の一例が示されている。線幅特性は、画像形成部１４の物理的な機構に依存することがある。例えば、記録紙の縦方向と横方向とで解像度が異なる場合、縦方向と横方向とで線幅特性が異なることがある。図５には、線幅特性の一例として、記録紙の縦方向における線幅特性が示されている。論理線幅、自装置線幅及び代替装置線幅が対応付けられており、これらは、印刷特性情報２６の一例として自装置の記憶部２０に記憶される。
【００６５】
「論理線幅」は、テストパターン（線幅特性確認用パターン）の線幅である。１ドット（画素）ずつ幅を変えた複数の線が、テストパターンとして用いられている。
【００６６】
「自装置線幅」は、自装置によって印刷されたテストパターンの実際の線幅である。つまり、自装置線幅は、論理線幅を有する画像が自装置にて印刷された場合の実際の線幅である。
【００６７】
「代替装置線幅」は、代替装置によって印刷されたテストパターンの実際の線幅である。つまり、代替装置線幅は、論理線幅を有する画像が代替装置にて印刷された場合の実際の線幅である。
【００６８】
図５に示す例では、自装置線幅は論理線幅と等しい。すなわち、自装置によると、線幅が変化せずにテストパターンが印刷される。従って、自装置では、指定されている線幅で画像が印刷されることになる。
【００６９】
一方、代替装置によると、論理線幅よりも１ドット（画素）分、線が太く印刷される。従って、指定されている線幅で画像が代替装置によって印刷されるためには、指定されている線幅を補正して１ドット分、細くすればよいことになる。この補正は、自装置の補正部３２によって行われる。例えば、線幅が２ドットの画像を代替装置にて印刷すると、代替装置線幅は３ドットとなる。従って、画像データの線幅として２ドットが指定されている場合、その線幅を１ドットに補正して代替装置によって印刷することにより、実際の線幅が２ドットとなる画像が印刷されることになる。図５に示す例では、代替装置は、１ドットの線の印刷に対応していない。従って、代替装置では、１ドットの線は印刷されない。
【００７０】
なお、記録紙の横方向についても、図５に示す線幅特性と同様に、自装置線幅及び代替装置線幅が測定され、論理線幅、自装置線幅及び代替装置線幅が対応付けられている。これらは、印刷特性情報２６の一例として自装置の記憶部２０に記憶される。
【００７１】
図６には、代替処理の選択肢を選択するための画面の一例が示されている。画面６０は、自装置のＵＩ部１８の画面である。未印刷の画像データの全部又は一部について、指定された条件に従った印刷が代替装置によって実現されない場合、自装置の制御部２８は、代替処理の選択肢を示す情報を表示部に表示させる。すなわち、画像データを補正しても、指定された条件通りの印刷が代替装置によって実現されない場合に、代替処理の選択肢が表示される。
【００７２】
選択肢６２は、次に印刷予定の画像データの処理を指示するための選択肢である。選択肢６２がユーザによって選択されると、自装置の制御部２８は、印刷中の画像データの印刷を停止させる。そして、制御部２８は、指定されている条件通りに、次に印刷予定の画像データが代替装置によって印刷されるか否かを判定する。具体的には、制御部２８は、次に印刷予定の画像データにおいて指定されている条件（濃度値、印刷領域、線幅）と、代替装置の印刷特性情報２６（濃度特性、印刷対応領域特性、線幅特性）と、を比較し、その条件に従った印刷が代替装置によって実現されるか否かを判定する。例えば、次に印刷予定の画像データの全部について、補正なしで、又は、補正することにより、指定されている条件に従った印刷が代替装置によって実現される場合、制御部２８は、次に印刷予定の画像データを代替装置に転送する。このとき、次に印刷予定の画像データを補正することにより、指定された条件に従った印刷が実現される場合、補正部３２は、代替装置の印刷特性情報２６に基づいて、次に印刷予定の画像データの濃度値及び線幅を補正する。そして、制御部２８は、補正後の画像データを代替装置に転送する。補正しなくても、指定された条件に従った印刷が代替装置によって実現される場合、制御部２８は、未補正の画像データを代替装置に転送する。これにより、代替装置において、次に印刷予定の画像データが印刷される。一方、次に印刷予定の画像データの全部又は一部について、補正しても指定されている条件に従った印刷が代替装置によって実現されない場合、当該次に印刷予定の画像データを対象にした選択肢６２〜６８が表示される。
【００７３】
選択肢６４は、複数部数の印刷が指示されている場合において、印刷中の部の先頭ページ以降のページの印刷を指示するための選択肢である。選択肢６４がユーザによって選択されると、自装置の制御部２８は、部の先頭ページ以降のページの画像データを代替装置に転送し、先頭ページからの印刷を代替装置に指示する。例えば、１０ページの画像を３部印刷する場合において、２部目の５ページまで印刷したところで故障が発生した場合、制御部２８は、２部目の先頭ページ以降のページの画像データを代替装置に転送する。すなわち、制御部２８は、２部目及び３部目の全ページの画像データを代替装置に転送する。これにより、代替装置において、２部目の先頭ページから印刷が行われ、２部目及び３部目の画像データが印刷される。このとき、補正することにより指定された条件に従って代替装置によって印刷される画像データが存在する場合、自装置の補正部３２は、代替装置の印刷特性情報２６に基づいて、その画像データの濃度値及び線幅を補正する。これにより、補正後の画像データが代替装置に転送されて印刷される。
【００７４】
選択肢６６は、未印刷のページの印刷を指示するための選択肢である。選択肢６６がユーザによって選択されると、自装置の制御部２８は、印刷が終了したページの次のページ以降のページの画像データを代替装置に転送する。このとき、補正することにより指定された条件に従って印刷される画像データが存在する場合、自装置の補正部３２は、代替装置の印刷特性情報２６に基づいて、その画像データの濃度値及び線幅を補正する。これにより、補正後の画像データが代替装置に転送されて印刷される。
【００７５】
選択肢６８は、印刷中止を指示するための選択肢である。選択肢６８がユーザによって選択されると、自装置の制御部２８は、印刷を中止する。
【００７６】
次に、図７に示されているフローチャートを参照して、自装置で印刷する場合の処理について説明する。一例として、画像形成装置１０Ａを用いて印刷するものとする。
【００７７】
まず、ユーザや作業者等が画像形成装置１０ＡのＵＩ部１８の操作部を使用することにより、テストパターンの印刷を指示すると、画像形成装置１０Ａの画像形成部１４は、テストパターンデータ２４に応じた画像を記録紙に印刷する（Ｓ０１）。これにより、テストパターン記録紙が作成される。次に、画像形成装置１０Ａの画像読取部１６は、テストパターン記録紙上の画像を読み取る（Ｓ０２）。これにより、テストパターン読取データが生成される。そして、測定部３０は、テストパターン読取データに基づいて、自装置の印刷特性（例えば、濃度特性、印刷対応領域特性、線幅特性）を測定し、自装置の印刷特性情報２６を更新する（Ｓ０３）。すなわち、画像形成装置１０Ａの測定部３０は、実際の濃度値、印刷対応領域、及び、実際の線幅を測定し、これらを自装置の印刷特性情報２６として記憶部２０に記憶させる。ユーザや作業者等によって再調整（テストパターンの再印刷）が指示された場合（Ｓ０４，Ｙｅｓ）、再び、テストパターンが印刷され（Ｓ０１）、テストパターン記録紙上の画像が読み取られる（Ｓ０２）。そして、測定部３０は、自装置の印刷特性を測定する。テストパターンの印刷及び画像読込が複数回実行された場合、測定部３０は、測定結果の平均値を、自装置の印刷特性情報２６として記憶部２０に記憶させる。例えば、濃度値の平均値、印刷対応領域の判定結果（対応及び不対応のうち数が多い方）、及び、線幅の平均値が求められ、それらが、自装置の印刷特性情報２６として記憶部２０に記憶される。例えば、図３〜図５に示されている印刷特性情報２６が記憶部２０に記憶される。再調整されない場合（Ｓ０４，Ｎｏ）、処理はステップＳ０５に移行する。なお、ステップＳ０１〜Ｓ０４の処理は予め実行されている。
【００７８】
そして、ユーザが端末装置５０を使用して印刷データを画像形成装置１０Ａに送信すると、画像形成装置１０Ａの通信部１２は、その印刷データを受信する（Ｓ０５）。画像形成装置１０Ａの補正部３２は、自装置の印刷特性情報２６を参照し、指定された条件で画像データが印刷されるように、画像データを補正する（Ｓ０６）。例えば、図３に示されている濃度特性を例に挙げて説明すると、画像データのイエローの濃度値として２５％が指定されている場合、補正部３２は、その濃度値を２７％に補正する。補正後の画像データを印刷することにより、実際の濃度値が２５％となる画像が印刷されることになる。図５に示されている線幅特性を例に挙げて説明すると、自装置線幅は論理線幅と等しくなる。従って、線幅の補正は不要である。つまり、線幅の補正をしなくても、指定された線幅の画像が印刷されることになる。
【００７９】
補正部３２によって画像データが補正されると、画像形成装置１０Ａの画像形成部１４は、補正後の画像データに応じた画像を記録紙に印刷する（Ｓ０７）。これにより、指定された条件（濃度値及び線幅）で画像が印刷される。なお、画像データを補正しなくても指定された条件で画像が印刷される場合、つまり、自装置濃度値及び自装置線幅が論理値と等しくなる場合、未補正の画像データに応じた画像が記録紙に印刷される。
【００８０】
次に、図８及び図９に示されているフローチャートを参照して、代替装置で印刷する場合の処理について説明する。一例として、自装置が画像形成装置１０Ａであるとする。
【００８１】
まず、ユーザや作業者等は、画像形成装置１０又は端末装置５０を使用して、代替装置を登録する（Ｓ１０）。具体的には、ユーザや作業者等は、画像形成装置１０又は端末装置５０の操作部を使用して、代替装置のデバイスＩＤ及びアドレス情報を入力する。画像形成装置１０又は端末装置５０は、デバイスＩＤ及びアドレス情報に基づいてデバイスリスト２２を作成する。デバイスリスト２２は、画像形成装置１０の記憶部２０に記憶される。なお、代替装置は予め登録される。
【００８２】
そして、ユーザが端末装置５０を利用して印刷データを画像形成装置１０Ａに送信すると、画像形成装置１０Ａの通信部１２は、その印刷データを受信する（Ｓ１１）。画像形成装置１０Ａの補正部３２は、自装置の印刷特性情報２６を参照し、指定された条件で画像データが印刷されるように、画像データを補正する（Ｓ１２）。これにより、画像データの濃度値及び線幅が補正される。なお、画像データを補正しなくても指定された条件で画像が印刷される場合、つまり、自装置濃度値及び自装置線幅が論理値と等しくなる場合、未補正の画像データに応じた画像が記録紙に印刷される。
【００８３】
印刷中に画像形成装置１０Ａに故障が発生した場合、画像形成装置１０Ａの制御部２８はその故障を検知する。そして、印刷が継続されない場合、制御部２８は、故障が発生して印刷が中断された旨を、ＵＩ部１８の表示部に表示させる（Ｓ１４）。例えば、画像形成装置１０Ａがインクジェット方式のプリンタの場合、インクジェットノズルの詰まり等が発生して印刷が中断されることが想定される。そして、制御部２８は、代替装置によって印刷を継続するか否かを選択するための選択画面を表示部に表示させる。ユーザが操作部を利用して継続を選択した場合（Ｓ１５，Ｙｅｓ）、制御部２８は、デバイスリスト２２を参照して、登録済みの画像形成装置１０（代替装置）のリストを表示部に表示させる（Ｓ１６）。そして、ユーザは操作部を利用して、リストの中から代替装置を選択する（Ｓ１７）。一例として、画像形成装置１０Ｂ，１０Ｃが登録されており、それらの中から画像形成装置１０Ｂが代替装置として選択されたものとする。一方、印刷の継続が選択されなかった場合（Ｓ１５，Ｎｏ）、処理は終了し、画像形成装置１０Ａの修理を待つことになる（Ｓ１８）。
【００８４】
図９には、ステップＳ１７より後の処理が示されている。上記のように画像形成装置１０Ｂが代替装置として選択されると、画像形成装置１０Ａの制御部２８は、テストパターンデータ２４を画像形成装置１０Ｂ（代替装置）に送信する。画像形成装置１０Ｂの画像形成部１４は、テストパターンを記録紙に印刷する（Ｓ１９）。これにより、代替装置についてのテストパターン記録紙が作成される。このテストパターン記録紙上の画像は、画像形成装置１０Ａ（自装置）の画像読取部１６によって読み取られる（Ｓ２０）。これにより、代替装置についてのテストパターン読取データが生成される。そして、画像形成装置１０Ａの測定部３０は、そのテストパターン読取データに基づいて、代替装置の印刷特性（例えば、濃度特性、印刷対応領域特性、線幅特性）を測定し、代替装置の印刷特性情報２６を更新する（Ｓ２１）。すなわち、画像形成装置１０Ａの測定部３０は、実際の濃度値、印刷対応領域、及び、実際の線幅を測定し、これらを代替装置の印刷特性情報２６として画像形成装置１０Ａの記憶部２０に記憶させる。ユーザや作業者等によって再構成（テストパターンの再印刷）が指示された場合（Ｓ２２，Ｙｅｓ）、再び、画像形成装置１０Ｂによってテストパターンが印刷され（Ｓ１９）、画像形成装置１０Ａによってテストパターン記録紙上の画像が読み取られる（Ｓ２０）。そして、測定部３０は、代替装置の印刷特性を測定する。テストパターンの印刷及び画像読込が複数回実行された場合、測定部３０は、測定結果の平均値を、代替装置の印刷特性情報２６として記憶部２０に記憶させる。例えば、濃度値の平均値、印刷対応領域の判定結果（対応及び不対応のうち数が多い方）、及び、線幅の平均値が求められ、それらが、代替装置の印刷特性情報２６として記憶部２０に記憶される。例えば、図３〜図５に示されている印刷特性情報２６が記憶部２０に記憶される。再調整されない場合（Ｓ２２，Ｎｏ）、処理はステップＳ２３に移行する。
【００８５】
なお、ステップＳ１９〜Ｓ２２の処理は、画像形成装置１０Ａの故障が発生する前に予め実行されていてもよい。画像形成装置１０の印刷特性は経時変化する場合がある。従って、画像形成装置１０Ａの故障発生直後にステップＳ１９〜Ｓ２２の処理を実行することにより、故障発生前にこれらの処理を予め実行する場合と比べて、経時変化の影響が低減された印刷特性が測定される。
【００８６】
そして、画像形成装置１０Ａの制御部２８は、画像形成装置１０Ｂの印刷特性情報２６（代替装置濃度値、代替装置の印刷対応領域、代替装置線幅）を参照し、画像データにおいて指定されている条件に従った印刷が、画像形成装置１０Ｂによって実現されるか否かを判定する。つまり、画像形成装置１０Ａの制御部２８は、未印刷の画像データの全部について、補正なしで、又は、補正することにより、指定されている条件に従った印刷が代替装置によって実現されるか否かを判定する。未印刷の画像データの全部について、補正なしで、又は、補正することにより、指定されている条件に従った印刷が実現される場合（Ｓ２３，Ｙｅｓ）、処理はステップＳ２７に移行する。
【００８７】
ステップＳ２７では、画像形成装置１０Ａの制御部２８は、未印刷のページの画像データを転送データとして選択する。そして、画像形成装置１０Ａの補正部３２は、画像形成装置１０Ｂの印刷特性情報２６を参照し、指定された条件で未印刷のページの画像データが画像形成装置１０Ｂによって印刷されるように、未印刷のページの画像データ（濃度値及び線幅）を補正する（Ｓ２８）。補正部３２によって画像データが補正されると、画像形成装置１０Ａの制御部２８は、補正後の画像データを含む印刷データを画像形成装置１０Ｂに転送する（Ｓ２９）。そして、画像形成装置１０Ｂの画像形成部１４は、補正後の画像データに応じた画像を記録紙に印刷する（Ｓ３０）。これにより、画像形成装置１０Ａでは印刷されなかったページの画像が、指定された条件（濃度値及び線幅）で記録紙に印刷される。なお、画像データを補正しなくても指定された条件で画像が印刷される場合、つまり、代替装置濃度値及び代替装置線幅が論理値と等しくなる場合、未補正の画像データが画像形成装置１０Ｂに転送される。これにより、未補正の画像データに応じた画像が記録紙に印刷される。そして、次の画像データを対象にしてステップＳ２３以降の処理が実行される。
【００８８】
一方、未印刷の画像データの全部又は一部について、指定されている条件に従った印刷が代替装置によって実現されない場合（Ｓ２３，Ｎｏ）、つまり、画像データ（濃度値及び線幅）を補正しても、指定された条件通りの印刷が代替装置によって実現されない画像が存在する場合、画像形成装置１０Ａの制御部２８は、代替処理の選択肢を示す情報をＵＩ部１８の表示部に表示させる（Ｓ２４）。例えば、制御部２８は、図６に示されている選択肢６２〜６８を表示部に表示させる。
【００８９】
例えば図３に示されているように、画像形成装置１０Ｂ（代替装置）は、イエローの濃度値として２５％未満が指定されている画像データを印刷する機能を備えていない。従って、未印刷の画像データにおいて、イエローの濃度値として２５％未満が指定されている場合、指定されている条件に従った印刷が代替装置によって実現されないと判断され（Ｓ２３，Ｎｏ）、処理はステップＳ２４に移行する。
【００９０】
また、図４に示されているように、画像形成装置１０Ｂ（代替装置）は、記録紙の端から１００ドットまでの領域に対して印刷する機能を備えていない。従って、未印刷の画像データにおいて、端から１００ドット以内の領域に印刷対象のオブジェクトが存在する場合、指定されている条件に従った印刷が代替装置によって実現されないと判断され（Ｓ２３，Ｎｏ）、処理はステップＳ２４に移行する。
【００９１】
また、図５に示されているように、画像形成装置１０Ｂ（代替装置）は、線幅が１ドットの線を印刷する機能を備えていない。従って、未印刷の画像データに線幅が１ドットの線が表されている場合、指定されている条件に従った印刷が代替装置によって実現されないと判断され（Ｓ２３，Ｎｏ）、処理はステップＳ２４に移行する。
【００９２】
なお、自装置の制御部２８は、補正しても指定されている条件に従った印刷が実現されない印刷特性を表示部に表示させてもよい。図３〜図５に示す例では、濃度特性、印刷対応領域特性、及び、線幅特性を示す情報が表示される。具体的には、イエローの濃度値が２５％未満の画像が印刷されない旨、端から１００ドット以内に存在するオブジェクトが印刷されない旨、及び、線幅が１ドットの線が印刷されない旨が表示される。更に具体的には、「ｘｘページ目の左からｙｙ（ｃｍ）、上からｚｚ（ｃｍ）の位置にある文字列（ａｂｃｄｅｆ）のうち、文字列（ａｂ）が印字されない」や、「ｘｘページの左からｙｙ（ｃｍ）、上からｚｚ（ｃｍ）の位置にあるイメージのうち、イエロー濃度が２５％以下の部分が印字されない」等の文章が表示される。これにより、ユーザによる該当箇所の確認が容易になる。また、制御部２８は、補正不能なページのみや、補正不能な部分のみを、ハイライトにして表示部に表示させてもよい。制御部２８は、ユーザによるテスト印刷の指示を受けて、補正不能なページや部分のテスト印刷を実行してもよい。
【００９３】
そして、図６に示されている画面６０において、選択肢６２（次に印刷予定の画像データの処理を指示するための選択肢）がユーザによって選択されると（ステップＳ２５，次のデータ）、処理はステップＳ２３に戻る。そして、次に印刷予定の画像データを対象にして処理が実行される。この場合、画像形成装置１０Ａの制御部２８は、印刷中の画像データの印刷を中止する。画像形成装置１０Ａの制御部２８は、画像形成装置１０Ｂの印刷特性情報２６を参照し、次に印刷予定の画像データにおいて指定されている条件に従った印刷が、画像形成装置１０Ｂによって実現されるか否かを判定する。次に印刷予定の画像データの全部について、補正なしで、又は、補正することにより、指定されている条件に従った印刷が実現される場合（Ｓ２３，Ｙｅｓ）、処理はステップＳ２７に移行する。そして、次に印刷予定の画像データを対象にして、ステップＳ２７〜Ｓ３０の処理が実行される。
【００９４】
一方、次に印刷予定の画像データの全部又は一部について、指定されている条件に従った印刷が代替装置によって実現されない場合（Ｓ２３，Ｎｏ）、処理はステップＳ２４に移行する。そして、次に印刷予定の画像データを対象にして、ステップＳ２４以降の処理が実行される。
【００９５】
また、ステップＳ２５において、選択肢６４（印刷中の部の先頭ページ以降のページの印刷を指示するための選択肢）がユーザによって選択されると（ステップＳ２５，部の先頭から転送）、処理はステップＳ２６に移行する。
【００９６】
ステップＳ２６では、画像形成装置１０Ａの制御部２８は、印刷中の部の先頭ページ以降のページの画像データを転送データとして選択する。例えば、１０ページの画像を３部印刷する場合において、２部目の５ページまで印刷したところで故障が発生した場合、制御部２８は、２部目の先頭ページ以降のページの画像データを転送データとして選択する。これにより、２部目及び３部目の全ページの画像データが、転送データとして選択される。そして、補正することにより、指定された条件に従った印刷が代替装置によって実現される画像データが存在する場合、画像形成装置１０Ａの補正部３２は、画像形成装置１０Ｂの印刷特性情報２６に基づいて、その画像データ（濃度値及び線幅）を補正する（Ｓ２８）。そして、画像形成装置１０Ａの制御部２８は、印刷中の部の先頭ページ以降のページの画像データを含む印刷データを画像形成装置１０Ｂに転送する（Ｓ２９）。画像形成装置１０Ｂの画像形成部１４は、補正後の画像データに応じた画像を記録紙に印刷する（Ｓ３０）。これにより、印刷中の部の先頭ページから印刷が継続される。上記の例で説明すると、２部目及び３部目の画像データが代替装置によって印刷される。このように、部の先頭ページから印刷することにより、画像形成装置１０Ａに故障が発生して印刷が継続されない場合であっても、同一部内での画質の変化が防止される。
【００９７】
例えば、図３に示されている濃度特性を例に挙げて説明すると、イエローの濃度値として２５％が指定されている場合、補正部３２は、その濃度値を３０％に補正する。補正後の画像データを印刷することにより、実際の濃度値が２５％となる画像が印刷されることになる。図５に示されている線幅特性を例に挙げて説明すると、線幅として２ドットが指定されている場合、補正部３２は、その線幅を１ドットに補正する。補正後の画像データを印刷することにより、実際の線幅が１ドットとなる画像が印刷されることになる。
【００９８】
また、選択肢６６（そのまま転送）がユーザによって選択されると、処理はステップＳ２７に移行する。ステップＳ２７では、画像形成装置１０Ａの制御部２８は、未印刷のページの画像データ（印刷済みのページの次のページ以降の画像データ）を転送データとして選択する。補正することにより、指定された条件に従った印刷が代替装置によって実現される画像データが存在する場合、画像形成装置１０Ａの補正部３２は、画像形成装置１０Ｂの印刷特性情報２６に基づいて、その画像データ（濃度値及び線幅）を補正する（Ｓ２８）。そして、画像形成装置１０Ａは、未印刷の画像データを含む印刷データを画像形成装置１０Ｂに転送する（Ｓ２９）。そして、画像形成装置１０Ｂの画像形成部１４は、補正後の画像データに応じた画像を記録紙に印刷する（Ｓ３０）。
【００９９】
また、選択肢６８（中止）がユーザによって選択されると、画像形成装置１０Ａの制御部２８は、処理を中止する。
【０１００】
以上のように、代替装置の印刷特性情報２６に基づいて画像データを補正することにより、自装置による印刷の品質（濃度値や線幅）が維持された状態で、代替装置によって画像データが印刷される。例えば、画像形成装置１０Ａ〜１０Ｃのそれぞれのプリント方式が異なる場合であっても、品質が維持された状態で印刷が行われる。
【０１０１】
上記の実施形態では、濃度値及び線幅を補正する場合について説明したが、これは一例に過ぎない。例えば、画像の印刷位置や画像の倍率が補正されてもよい。この場合、印刷位置の特性を確認するためのテストパターンを自装置及び代替装置によって印刷し、記録紙上のテストパターンの画像を読み取り、実際の印刷位置を測定する。これにより、テストパターン上の画像の位置（論理位置）と、実際の印刷位置との対応関係が測定される。倍率についても同様に、テストパターン上の画像の倍率（論理倍率）と、実際の倍率との対応関係を測定すればよい。その他、シェード（影）の特性を補正してもよい。
【０１０２】
なお、画像データの補正は、自装置（上記の例では画像形成装置１０Ａ）によって行われず、代替装置（上記の例では画像形成装置１０Ｂ）によって行われてもよい。この場合、自装置は、未補正の画像データを代替装置に転送する。代替装置の補正部３２は、代替装置の印刷特性情報２６に基づいて画像データを補正する。代替装置の画像形成部１４は、補正後の画像データを印刷する。この場合であっても、自装置による印刷の品質が維持された状態で、代替装置によって画像データが印刷される。
【符号の説明】
【０１０３】
１０Ａ，１０Ｂ，１０Ｃ  画像形成装置、１２  通信部、１４  画像形成部、１６  画像読取部、１８  ユーザインターフェース部（ＵＩ部）、２０  記憶部、２２  デバイスリスト、２４  テストパターンデータ、２６  印刷特性情報、２８  制御部、３０  測定部、３２  補正部、５０  端末装置。
【図１】
0006442950.tif 000002
【図２】
0006442950.tif 000003
【図３】
0006442950.tif 000004
【図４】
0006442950.tif 000005
【図５】
0006442950.tif 000006
【図６】
0006442950.tif 000007
【図７】
0006442950.tif 000008
【図８】
0006442950.tif 000009
【図９】
0006442950.tif 000010